(57)【特許請求の範囲】
【請求項１】
自局と他の無線基地局の負荷に応じて、カバレッジを調整することが可能な第１の無線基地局及び第２の無線基地局により構成される無線通信システムであって、
前記第１の無線基地局は、
前記第１の無線基地局の負荷レベルを示す負荷情報を、前記第２の無線基地局に送信する負荷情報送信部と、
前記負荷情報送信部を制御する制御部と
を備え、
前記制御部は、前記第１の無線基地局の負荷レベルが第１の閾値未満である場合に、前記負荷情報が前記第２の無線基地局へ送信されるように前記負荷情報送信部を制御し、前記第１の無線基地局の負荷レベルが第１の閾値以上である場合に、前記負荷情報の前記第２の無線基地局への送信が省略されるように前記負荷情報送信部を制御し、
前記第２の無線基地局は、
前記第１の無線基地局からの前記負荷情報を受信する負荷情報受信部を備える無線通信システム。
【請求項２】
自局と他の無線基地局の負荷に応じて、カバレッジを調整することが可能な第１の無線基地局及び第２の無線基地局により構成される無線通信システムであって、
前記第２の無線基地局は、
前記第１の無線基地局の負荷レベルを示す負荷情報を要求するための負荷要求情報を送信する負荷要求情報送信部を備え、
前記第１の無線基地局は、
前記第２の無線基地局からの前記負荷要求情報を受信する負荷要求情報受信部と、
前記負荷要求情報に対する応答である応答情報を前記他の無線基地局に送信する応答情報送信部と、
前記応答情報送信部を制御する制御部と
を備え、
前記制御部は、前記第１の無線基地局の負荷レベルが第１の閾値未満である場合に、前記応答情報が前記第２の無線基地局へ送信されるように前記応答情報送信部を制御し、前記第１の無線基地局の負荷レベルが第１の閾値以上である場合に、前記応答情報の前記第２の無線基地局への送信が省略されるように前記応答情報送信部を制御する無線通信システム。
【請求項３】
自局と他の無線基地局の負荷に応じて、カバレッジを調整することが可能な無線基地局であって、
自局の負荷レベルを示す負荷情報を、前記他の無線基地局に送信する送信部と、
前記送信部を制御する制御部と
を備え、
前記制御部は、自局の負荷レベルが第１の閾値未満である場合に、前記負荷情報が前記他の無線基地局へ送信されるように前記送信部を制御し、自局の負荷レベルが第１の閾値以上である場合に、前記負荷情報の前記他の無線基地局への送信が省略されるように前記送信部を制御する無線基地局。
【請求項４】
自局と他の無線基地局の負荷に応じて、カバレッジを調整することが可能な無線基地局であって、
前記他の無線基地局から送信される、自局の負荷レベルを示す負荷情報を要求するための負荷要求情報を受信する受信部と、
前記負荷要求情報に対する応答である応答情報を前記他の無線基地局に送信する送信部と、
前記送信部を制御する制御部と
を備え、
前記制御部は、自局の負荷レベルが第１の閾値未満である場合に、前記応答情報が前記他の無線基地局へ送信されるように前記送信部を制御し、自局の負荷レベルが第１の閾値以上である場合に、前記応答情報の前記他の無線基地局への送信が省略されるように前記送信部を制御する無線基地局。
【請求項５】
前記制御部は、前記負荷情報の送信を開始した後、自局の負荷レベルが前記第１の閾値よりも大きな値である第２の閾値以上になるまで、前記負荷情報の送信を繰り返すように前記送信部を制御する請求項３に記載の無線基地局。
【請求項６】
前記第２の閾値は、前記無線基地局が安定して動作可能である場合の負荷レベルの値である請求項５に記載の無線基地局。
【請求項７】
自局と他の無線基地局の負荷に応じて、カバレッジを調整することが可能な無線基地局における通信制御方法であって、
自局の負荷レベルを示す負荷情報を、前記他の無線基地局に送信するステップと、
前記負荷情報の送信を制御するステップと、
を備え、
前記負荷情報の送信を制御するステップは、自局の負荷レベルが第１の閾値未満である場合に、前記負荷情報が前記他の無線基地局へ送信されるように制御し、自局の負荷レベルが第１の閾値以上である場合に、前記負荷情報の前記他の無線基地局への送信が省略されるように制御する通信制御方法。
【請求項８】
自局と他の無線基地局の負荷に応じて、カバレッジを調整することが可能な無線基地局における通信制御方法であって、
前記他の無線基地局から送信される、自局の負荷レベルを示す負荷情報を要求するための負荷要求情報を受信するステップと、
前記負荷要求情報に対する応答である応答情報を前記他の無線基地局に送信するステップと、
前記応答情報の送信を制御するステップと
を備え、
前記応答情報の送信を制御するステップは、自局の負荷レベルが第１の閾値未満である場合に、前記応答情報が前記他の無線基地局へ送信されるように制御し、自局の負荷レベルが第１の閾値以上である場合に、前記応答情報の前記他の無線基地局への送信が省略されるように制御する通信制御方法。
【発明の詳細な説明】
【技術分野】
【０００１】
本発明は、無線通信技術に関し、特にカバレッジを調整することが可能な無線通信システム、無線基地局、及び通信制御方法に関する。
【背景技術】
【０００２】
無線通信システムの標準化団体である３ＧＰＰ（3rd Generation Partnership Project）で標準化されているＬＴＥ（Long Term Evolution）では、ＳＯＮ（Self Organizing Network）と称される技術が採用されている。ＳＯＮによれば、無線基地局の設置や保守の際に、人手によるフィールドでの測定や設定を要さずに自動化できることが期待される（例えば、非特許文献１参照）。
【０００３】
ＳＯＮにおいては、無線基地局（３ＧＰＰにおいて「ｅＮＢ」と称される）間の負荷を平準化するために、無線基地局間で送受信される負荷情報に基づいて、カバレッジを調整する手法が提案されている。このような最適化の技術は、ＭＬＢ（Mobility Load Balancing）と称される。
【０００４】
具体的には、ＬＴＥシステムでは、以下の負荷情報が定義されている。（ａ）時間周波数リソースの割り当て単位であるＰＲＢ（Physical Resource Block）の使用数、（ｂ）無線基地局とコアネットワークとの間のバックホールの負荷、（ｃ）無線基地局のハードウェア負荷、（ｄ）無線基地局の相対的な通信容量を示す指標である容量クラスとその中で利用可能な通信容量の割合。
【先行技術文献】
【非特許文献】
【０００５】
【非特許文献１】3GPP TR 36.902 V9.1.0 March, 2010.
【発明の概要】
【発明が解決しようとする課題】
【０００６】
しかしながら、負荷情報に基づいてカバレッジを調整する手法においては、無線基地局間で常時、負荷情報が送受信されるため、バックホールである無線基地局間の伝送路の負荷が増加する。
【０００７】
そこで、本発明は、無線基地局間の伝送路の負荷を軽減できる無線通信システム、無線基地局、及び通信制御方法を提供することを目的とする。
【課題を解決するための手段】
【０００８】
上述した課題を解決するために、本発明は以下のような特徴を有している。本発明の特徴は、自局と他の無線基地局の負荷に応じて、カバレッジを調整することが可能な第１の無線基地局（無線基地局ｅＮＢ１０−１）及び第２の無線基地局（無線基地局ｅＮＢ１０−２）により構成される無線通信システムであって、前記第１の無線基地局は、前記第１の無線基地局の負荷レベルを示す負荷情報を、前記第２の無線基地局に送信する負荷情報送信部（Ｘ２インタフェース通信部１４０）と、前記負荷情報送信部を制御する制御部（送信制御部１２２）とを備え、前記制御部は、前記第１の無線基地局の負荷レベルが第１の閾値未満である場合に、前記負荷情報が前記第２の無線基地局へ送信されるように前記負荷情報送信部を制御し、前記第１の無線基地局の負荷レベルが第１の閾値以上である場合に、前記負荷情報の前記第２の無線基地局への送信が省略されるように前記負荷情報送信部を制御し、前記第２の無線基地局は、前記第１の無線基地局からの前記負荷情報を受信する負荷情報受信部（Ｘ２インタフェース通信部２４０）を備えることを要旨とする。
【０００９】
このような無線通信システムでは、第１の無線基地局は、当該第１の無線基地局の負荷レベルが第１の閾値未満である場合に、負荷情報を第２の無線基地局へ送信し、第１の無線基地局の負荷レベルが第１の閾値以上である場合に、負荷情報の送信を省略する。第２の無線基地局は、カバレッジを縮小する際に第１の無線基地局の負荷情報を必要とする。しかし、第１の無線基地局の負荷レベルが高く、当該第１の無線基地局のカバレッジの拡大が困難である場合に、第１の無線基地局が第２の無線基地局へ負荷情報を送信することは、不要な送信である。従って、この場合には、負荷情報の送信が省略されることで、無線基地局間の伝送路の負荷を軽減できる。
【００１０】
本発明の特徴は、自局と他の無線基地局の負荷に応じて、カバレッジを調整することが可能な第１の無線基地局（無線基地局ｅＮＢ１０−１）及び第２の無線基地局（無線基地局ｅＮＢ１０−２）により構成される無線通信システムであって、前記第２の無線基地局は、前記第１の無線基地局の負荷レベルを示す負荷情報を要求するための負荷要求情報を送信する負荷要求情報送信部（Ｘ２インタフェース通信部２４０）を備え、前記第１の無線基地局は、前記第２の無線基地局からの前記負荷要求情報を受信する負荷要求情報受信部（Ｘ２インタフェース通信部１４０）と、前記負荷要求情報に対する応答である応答情報を前記他の無線基地局に送信する応答情報送信部（Ｘ２インタフェース通信部１４０）と、前記応答情報送信部を制御する制御部（送信制御部１２２）とを備え、前記制御部は、前記第１の無線基地局の負荷レベルが第１の閾値未満である場合に、前記応答情報が前記第２の無線基地局へ送信されるように前記応答情報送信部を制御し、前記第１の無線基地局の負荷レベルが第１の閾値以上である場合に、前記応答情報の前記第２の無線基地局への送信が省略されるように前記応答情報送信部を制御することを要旨とする。
【００１１】
このような無線通信システムでは、第１の無線基地局は、第２の無線基地局によって負荷情報が要求されると、第１の無線基地局の負荷レベルが第１の閾値未満である場合に、応答である応答情報を第２の無線基地局へ送信し、第１の無線基地局の負荷レベルが第１の閾値以上である場合に、応答情報の送信を省略する。第２の無線基地局は、カバレッジを縮小する際に第１の無線基地局の負荷情報を必要とする。しかし、第１の無線基地局の負荷レベルが高く、当該第１の無線基地局のカバレッジの拡大が困難である場合に、第１の無線基地局が第２の無線基地局へ応答情報を送信することは、不要な送信である。従って、この場合には、応答情報の送信が省略されることで、無線基地局間の伝送路の負荷を軽減できる。
【００１２】
本発明の特徴は、自局と他の無線基地局の負荷に応じて、カバレッジを調整することが可能な無線基地局（無線基地局ｅＮＢ１０−１）であって、自局の負荷レベルを示す負荷情報を、前記他の無線基地局に送信する送信部（Ｘ２インタフェース通信部１４０）と、前記送信部を制御する制御部（送信制御部１２２）とを備え、前記制御部は、自局の負荷レベルが第１の閾値未満である場合に、前記負荷情報が前記他の無線基地局へ送信されるように前記送信部を制御し、自局の負荷レベルが第１の閾値以上である場合に、前記負荷情報の前記他の無線基地局への送信が省略されるように前記送信部を制御することを要旨とする。
【００１３】
本発明の特徴は、自局と他の無線基地局の負荷に応じて、カバレッジを調整することが可能な無線基地局（無線基地局ｅＮＢ１０−１）であって、前記他の無線基地局から送信される、自局の負荷レベルを示す負荷情報を要求するための負荷要求情報を受信する受信部（Ｘ２インタフェース通信部１４０）と、前記負荷要求情報に対する応答である応答情報を前記他の無線基地局に送信する送信部（Ｘ２インタフェース通信部１４０）と、前記送信部を制御する制御部（送信制御部１２２）とを備え、前記制御部は、自局の負荷レベルが第１の閾値未満である場合に、前記応答情報が前記他の無線基地局へ送信されるように前記送信部を制御し、自局の負荷レベルが第１の閾値以上である場合に、前記応答情報の前記他の無線基地局への送信が省略されるように前記送信部を制御することを要旨とする。
【００１４】
本発明の特徴は、前記制御部は、前記負荷情報の送信を開始した後、自局の負荷レベルが前記第１の閾値よりも大きな値である第２の閾値以上になるまで、前記負荷情報の送信を繰り返すように前記送信部を制御することを要旨とする。
【００１５】
本発明の特徴は、前記第２の閾値は、前記無線基地局が安定して動作可能である場合の負荷レベルの値である請求項５に記載の無線基地局。
【００１６】
本発明の特徴は、前記送信制御部は、前記負荷情報の送信後、自局の負荷レベルが第２の閾値以上になった場合に、前記負荷情報の送信が停止されるように前記送信部を制御することを要旨とする。
【００１７】
本発明の特徴は、自局と他の無線基地局の負荷に応じて、カバレッジを調整することが可能な無線基地局における通信制御方法であって、自局の負荷レベルを示す負荷情報を、前記他の無線基地局に送信するステップと、前記負荷情報の送信を制御するステップとを備え、前記負荷情報の送信を制御するステップは、自局の負荷レベルが第１の閾値未満である場合に、前記負荷情報が前記他の無線基地局へ送信されるように制御し、自局の負荷レベルが第１の閾値以上である場合に、前記負荷情報の前記他の無線基地局への送信が省略されるように制御することを要旨とする。
【００１８】
本発明の特徴は、自局と他の無線基地局の負荷に応じて、カバレッジを調整することが可能な無線基地局における通信制御方法であって、前記他の無線基地局から送信される、自局の負荷レベルを示す負荷情報を要求するための負荷要求情報を受信するステップと、前記負荷要求情報に対する応答である応答情報を前記他の無線基地局に送信するステップと、前記応答情報の送信を制御するステップとを備え、前記応答情報の送信を制御するステップは、自局の負荷レベルが第１の閾値未満である場合に、前記応答情報が前記他の無線基地局へ送信されるように制御し、自局の負荷レベルが第１の閾値以上である場合に、前記応答情報の前記他の無線基地局への送信が省略されるように制御することを要旨とする。
【発明の効果】
【００１９】
本発明によれば、無線基地局間の伝送路の負荷を軽減した、無線通信システム、無線基地局、及び通信制御方法を提供できる。
【図面の簡単な説明】
【００２０】
【図１】本発明の実施形態に係るＬＴＥシステムの概要を説明するための図である。
【図２】本発明の実施形態に係る無線通信システムの概略構成図である。
【図３】本発明の実施形態に係る第１の無線基地局の構成を示すブロック図である。
【図４】本発明の実施形態に係る第２の無線基地局の構成を示すブロック図である。
【図５】本発明の実施形態に係る無線通信システムの第１の動作を示す動作シーケンス図である。
【図６】本発明の実施形態に係る第１の無線基地局の動作を示すフローチャートである。
【図７】本発明の実施形態に係る無線通信システムの第２の動作を示す動作シーケンス図である。
【図８】その他の実施形態に係る無線通信システムの概略構成図である。
【発明を実施するための形態】
【００２１】
次に、図面を参照して、本発明の実施形態を説明する。具体的には、（１）ＬＴＥシステムの概要、（２）無線通信システムの構成、（３）第１の無線基地局の構成、（４）第２の無線基地局の構成、（５）無線通信システムの動作、（６）作用・効果、（７）その他の実施形態について説明する。以下の実施形態における図面の記載において、同一又は類似の部分には同一又は類似の符号を付している。
【００２２】
（１）ＬＴＥシステムの概要
図１は、ＬＴＥシステムの概要を説明するための図である。図１に示すように、複数の無線基地局ｅＮＢはＥ−ＵＴＲＡＮ（Evolved-UMTS Terrestrial Radio Access  Network）を構成する。複数の無線基地局ｅＮＢのそれぞれは、無線端末ＵＥにサービスを提供すべき通信エリアであるセルを形成する。
【００２３】
無線端末ＵＥは、ユーザが所持する無線通信装置であり、ユーザ装置とも称される。無線端末ＵＥは、無線基地局ｅＮＢから受信する無線信号の品質（すなわち、無線品質）を測定し、無線品質の測定結果の報告（以下、測定結果報告）を接続先の無線基地局ｅＮＢに送信する。
【００２４】
このような無線品質としては、参照信号の受信電力（ＲＳＲＰ）や、信号対干渉雑音比（ＳＩＮＲ）等がある。ＲＳＲＰに係る測定結果報告はメジャメントレポートと称され、ある特定の周波数帯域毎のＳＩＮＲのインデックスに係る測定結果報告はＣＱＩ（Channel Quality Indicator）と称される。
【００２５】
無線端末ＵＥの接続先の無線基地局ｅＮＢは、無線端末ＵＥから受信するメジャメントレポートに基づいて、無線端末ＵＥの接続先を切り換えるハンドオーバ制御を行う。無線端末ＵＥが複数の無線基地局ｅＮＢからの参照信号を受信する場合、メジャメントレポートは、複数の無線基地局ｅＮＢと対応する複数のＲＳＲＰを含む。無線端末ＵＥの接続先の無線基地局ｅＮＢは、通常、複数の無線基地局ｅＮＢのうちＲＳＲＰが最も高いものを無線端末ＵＥの接続先として選択する。
【００２６】
また、無線端末ＵＥの接続先の無線基地局ｅＮＢは、無線端末ＵＥから受信するＣＱＩに基づいて、無線リソースの割り当て単位であるリソースブロックを無線端末ＵＥに割り当てる。さらに、無線端末ＵＥの接続先の無線基地局ｅＮＢは、無線端末ＵＥから受信するＣＱＩに基づいて、無線端末ＵＥとの無線通信に使用する変調クラスを決定する。変調クラスとは、変調多値数と符号化率との組み合わせである。
【００２７】
各無線基地局ｅＮＢは、基地局間通信を提供する論理的な通信路であるＸ２インターフェースを介して互いに通信可能である。複数の無線基地局ｅＮＢのそれぞれは、Ｓ１インターフェースを介して、ＥＰＣ（Evolved Packet Core）、具体的には、ＭＭＥ（Mobility Management Entity）／Ｓ−ＧＷ（Serving Gateway）と通信可能である。
【００２８】
（２）無線通信システムの構成
図２は、本実施形態に係る無線通信システム１の概略構成図である。
【００２９】
図２に示すように、無線通信システム１は、無線基地局ｅＮＢ１０−１と、無線基地局ｅＮＢ１０−１が形成するセルＣ２０−１内で、無線基地局ｅＮＢ１０−１に接続する無線端末ＵＥ３０−１と、無線基地局ｅＮＢ１０−２と、無線基地局ｅＮＢ１０−２が形成するセルＣ２０−２内で、無線基地局ｅＮＢ１０−２に接続する無線端末ＵＥ３０−２とを有する。無線基地局ｅＮＢ１０−１及び無線基地局ｅＮＢ１０−２は、上述したＸ２インタフェースを使用して基地局間通信を行うことができる。
【００３０】
本実施形態において、無線基地局ｅＮＢ１０−１は第１の無線基地局に相当し、無線基地局ｅＮＢ１０−２は第２の無線基地局に相当する。なお、図２では、無線端末ＵＥ３０−１及び無線端末ＵＥ３０−２のそれぞれを１つのみ図示しているが、実際には、無線端末ＵＥ３０−１及び無線端末ＵＥ３０−２のそれぞれは複数であるものとする。
【００３１】
無線通信システム１は、上述したＭＬＢをサポートする。本実施形態では、各無線基地局ｅＮＢは、無線基地局ｅＮＢ間で送受信される負荷情報に基づいて、カバレッジを定める基地局パラメータとしてのハンドオーバパラメータを調整する。例えば、無線基地局ｅＮＢ１０−２の負荷が無線基地局ｅＮＢ１０−１の負荷よりも高い場合に、ハンドオーバパラメータを調整することで、無線基地局ｅＮＢ１０−２のカバレッジを縮小するとともに、無線基地局ｅＮＢ１０−１のカバレッジを拡大する。
【００３２】
このようなハンドオーバパラメータは、本実施形態では、無線端末ＵＥが測定したＲＳＲＰを補正するためのオフセット値である。例えば、無線端末ＵＥ３０−２が無線基地局ｅＮＢ１０−２及び無線基地局ｅＮＢ１０−１のそれぞれから無線信号を受信可能な場合において、無線基地局ｅＮＢ１０−１に対応するＲＳＲＰ（以下、ＲＳＲＰ１）と、無線基地局ｅＮＢ１０−２に対応するＲＳＲＰ（以下、ＲＳＲＰ２）とを比較する前に、ＲＳＲＰ１を高く補正するためのオフセット値をＲＳＲＰ１に加える。こうすることで、オフセット後のＲＳＲＰ１がＲＳＲＰ２を上回る可能性が高まる。よって、無線基地局ｅＮＢ１０−１が優先的に接続先（ハンドオーバ先）として選択されるようになり、無線基地局ｅＮＢ１０−１のカバレッジを拡大できる。なお、不要なハンドオーバを避けるために、オフセット値は、無線基地局ｅＮＢの対で１つの値を取り、対をなす各無線基地局ｅＮＢで共有する。
【００３３】
（３）第１の無線基地局の構成
次に、無線基地局ｅＮＢ１０−１の構成を説明する。図３は、本実施形態に係る無線基地局ｅＮＢ１０−１の構成を示すブロック図である。
【００３４】
図３に示すように、無線基地局ｅＮＢ１０−１は、アンテナ部１０１、無線通信部１１０、制御部１２０、記憶部１３０、及びＸ２インタフェース通信部１４０を有する。
【００３５】
アンテナ部１０１は、無線信号の送受信に用いられる。無線通信部１１０は、例えば無線周波数（ＲＦ）回路やベースバンド（ＢＢ）回路等を用いて構成され、アンテナ部１０１を介して無線端末ＵＥと無線信号の送受信を行う。また、無線通信部１１０は、送信信号の変調と受信信号の復調とを行う。
【００３６】
制御部１２０は、例えばＣＰＵを用いて構成され、無線基地局ｅＮＢ１０−１が備える各種の機能を制御する。記憶部１３０は、例えばメモリを用いて構成され、無線基地局ｅＮＢ１０−１の制御等に用いられる各種の情報を記憶する。Ｘ２インタフェース通信部１４０は、Ｘ２インタフェースを使用して他の無線基地局との基地局間通信を行う。
【００３７】
制御部１２０は、負荷レベル比較部１２１、送信制御部１２２及びカバレッジ調整制御部１２３を有する。
【００３８】
無線基地局ｅＮＢ１０−１においては、以下の第１の処理及び第２の処理が選択的に行われる。
【００３９】
（第１の処理）
負荷レベル比較部１２１は、自局である無線基地局ｅＮＢ１０−１の負荷のレベルを測定する。ここで、無線基地局ｅＮＢ１０−１の負荷レベルを示す負荷情報（以下、第１負荷情報）は、（ａ）時間周波数リソースの割り当て単位であるＰＲＢ（Physical Resource Block）の使用数、（ｂ）無線基地局ｅＮＢ１０−１とコアネットワークとの間のＸ２インタフェースの負荷、（ｃ）無線基地局ｅＮＢ１０−１のハードウェア負荷、（ｄ）無線基地局ｅＮＢ１０−１の相対的な通信容量を示す指標である容量クラスとその中で利用可能な通信容量の割合である。
【００４０】
負荷レベル比較部１２１は、測定した無線基地局ｅＮＢ１０−１の負荷レベルが第１閾値未満であるか否かを判定する。ここで、第１閾値は、負荷レベルの種類毎に用意され、記憶部１３０に記憶されている。具体的には、負荷レベル比較部１２１は、無線基地局ｅＮＢ１０−１の全ての種類の負荷レベルが、それぞれの負荷レベルに対応する第１閾値未満であるか否か、あるいは、無線基地局ｅＮＢ１０−１の何れかの種類の負荷レベルが、対応する第１閾値未満であるか否かを判定する。
【００４１】
無線基地局ｅＮＢ１０−１の負荷レベルが第１閾値未満である場合には、隣接する無線基地局ｅＮＢ１０−２の負荷軽減のために、無線基地局ｅＮＢ１０−１のカバレッジは、擬似的に拡大されることが好ましい。一方、無線基地局ｅＮＢ１０−１の負荷レベルが第１閾値以上である場合には、当該無線基地局ｅＮＢ１０−１は、自局のカバレッジを拡大させて負荷を更に増加させる余裕はない。
【００４２】
無線基地局ｅＮＢ１０−１の負荷レベルが第１閾値以上である場合、送信制御部１２２は、当該無線基地局ｅＮＢ１０−１の負荷レベルを示す第１負荷情報を含んだResource Status Updateメッセージの送信を省略するように、Ｘ２インタフェース通信部１４０を制御する。Ｘ２インタフェース通信部１４０は、送信制御部１２２の制御に応じて、Resource Status Updateメッセージの送信を省略（送信停止）する。
【００４３】
一方、無線基地局ｅＮＢ１０−１の負荷レベルが第１閾値未満である場合、送信制御部１２２は、当該無線基地局ｅＮＢ１０−１の負荷レベルを示す第１負荷情報を含んだResource Status UpdateメッセージをＸ２インタフェース通信部１４０へ出力する。更に、送信制御部２２２は、第１負荷情報を含んだResource Status Updateメッセージを無線基地局ｅＮＢ１０−１へ送信するように、Ｘ２インタフェース通信部１４０を制御する。
【００４４】
Ｘ２インタフェース通信部１４０は、送信制御部１２２の制御に応じて、Ｘ２インタフェースを介して無線基地局ｅＮＢ１０−２に対して、第１負荷情報を含んだResource Status Updateメッセージを送信する。
【００４５】
第１負荷情報を含んだResource Status Updateメッセージの送信後、Ｘ２インタフェース通信部１４０は、無線基地局ｅＮＢ１０−２からＸ２インタフェースを介して、ハンドオーバパラメータとしてのオフセット値を含んだMobility Change Requestメッセージを受信し、カバレッジ調整制御部１２３へ出力する。
【００４６】
送信制御部１２２は、Mobility Change Requestメッセージに対する応答であるMobility Change AcknowledgeメッセージをＸ２インタフェース通信部２４０へ出力し、当該Mobility Change Acknowledgeメッセージを無線基地局ｅＮＢ１０−１へ送信するように、Ｘ２インタフェース通信部１４０を制御する。
【００４７】
Ｘ２インタフェース通信部１４０は、送信制御部１２２の制御に応じて、Ｘ２インタフェースを介して無線基地局ｅＮＢ１０−１に対して、Mobility Change Acknowledgeメッセージを送信する。
【００４８】
カバレッジ調整制御部１２３は、Mobility Change Requestメッセージに含まれるハンドオーバパラメータとしてのオフセット値を設定する。設定されたオフセット値は、記憶部１３０に記憶される。これにより、ハンドオーバパラメータとしてのオフセット値が無線基地局ｅＮＢ１０−１と無線基地局ｅＮＢ１０−２との間で共有され、ハンドオーバ制御においては、オフセット値が加えられたＲＳＲＰ１と、ＲＳＲＰ２とが比較される。このため、無線基地局ｅＮＢ１０−１のカバレッジが擬似的に拡大されるようになる。
【００４９】
また、送信制御部１２２が、無線基地局ｅＮＢ１０−２に対して、第１負荷情報を含んだResource Status Updateメッセージを送信する制御を行った後は、並行して以下の処理が行われる。
【００５０】
負荷レベル比較部１２１は、自局である無線基地局ｅＮＢ１０−１の負荷のレベルを測定する。負荷レベル比較部１２１は、測定した無線基地局ｅＮＢ１０−１の負荷レベルが第２閾値以上であるか否かを判定する。ここで、第２閾値は、第１閾値よりも大きな値であり、無線基地局ｅＮＢ１０−１が安定して動作可能である場合の負荷レベルの範囲内の値である。また、第２閾値は、負荷レベルの種類毎に用意され、記憶部１３０に記憶されている。負荷レベル比較部１２１は、無線基地局ｅＮＢ１０−１の全ての種類の負荷レベルが、それぞれに対応する第２閾値以上であるか否か、あるいは、無線基地局ｅＮＢ１０−１の何れかの種類の負荷レベルが、対応する第２閾値以上であるか否かを判定する。
【００５１】
無線基地局ｅＮＢ１０−１の負荷レベルが第２閾値以上である場合には、当該無線基地局ｅＮＢ１０−１は、自局のカバレッジを拡大させて負荷を更に増加させる余裕はない。
【００５２】
このため、送信制御部１２２は、無線基地局ｅＮＢ１０−１の負荷レベルが第２閾値以上である場合、第１負荷情報を含んだResource Status Updateメッセージの送信を停止するように、Ｘ２インタフェース通信部１４０を制御する。Ｘ２インタフェース通信部１４０は、送信制御部１２２の制御に応じて、第１負荷情報を含んだResource Status Updateメッセージの送信を停止する。
【００５３】
（第２の処理）
無線基地局ｅＮＢ１０−２が、無線基地局ｅＮＢ１０−１に対して、無線基地局ｅＮＢ１０−１からの第１負荷情報の送信開始を要求するためのResource Status Requestメッセージを送信する場合には、以下の処理が行われる。
【００５４】
負荷レベル比較部１２１は、自局である無線基地局ｅＮＢ１０−１の負荷のレベルを測定する。その後、Ｘ２インタフェース通信部１４０は、無線基地局ｅＮＢ１０−２からの第１負荷情報の送信開始を要求するためのResource Status Requestメッセージを、Ｘ２インタフェースを介して受信すると、当該Resource Status Requestメッセージを、負荷レベル比較部１２１へ出力する。ここで、第１負荷情報の送信開始を要求するためのResource Status Requestメッセージには、第１負荷情報の送信開始を要求する情報であるRegistration Request、送信すべき第１負荷情報の種類を示す情報であるReport Characteristics、第１負荷情報の送信周期を示す情報が含まれる。
【００５５】
第１負荷情報の送信開始を要求するためのResource Status Requestメッセージが入力された後、負荷レベル比較部１２１は、無線基地局ｅＮＢ１０−１の負荷レベルが第４閾値未満であるか否かを判定する。ここで、第４閾値は、第２閾値以下の値である。また、第４閾値は、負荷レベルの種類毎に用意され、記憶部１３０に記憶されている。また、第４閾値は、無線基地局ｅＮＢ１０−１が安定して動作可能である場合の負荷レベルと定められた値のうちの最大値である。具体的には、負荷レベル比較部１２１は、無線基地局ｅＮＢ１０−１の全ての種類の負荷レベルが、それぞれに対応する第４閾値未満であるか否か、あるいは、無線基地局ｅＮＢ１０−１の何れかの種類の負荷レベルが、対応する第４閾値未満であるか否かを判定する。
【００５６】
無線基地局ｅＮＢ１０−１の負荷レベルが第４閾値以上である場合、送信制御部１２２は、Resource Status Requestメッセージに対する応答である、Resource Status Responseメッセージの送信を省略するように、Ｘ２インタフェース通信部１４０を制御する。Ｘ２インタフェース通信部１４０は、送信制御部１２２の制御に応じて、Resource Status Responseメッセージの送信を省略（送信停止）する。
【００５７】
一方、無線基地局ｅＮＢ１０−１の負荷レベルが第４閾値未満である場合には、送信制御部１２２は、応答であるResource Status ResponseメッセージをＸ２インタフェース通信部１４０へ出力する。更に、送信制御部１２２は、Resource Status Responseメッセージを無線基地局ｅＮＢ１０−１へ送信するように、Ｘ２インタフェース通信部１４０を制御する。
【００５８】
Ｘ２インタフェース通信部１４０は、送信制御部１２２の制御に応じて、Ｘ２インタフェースを介して無線基地局ｅＮＢ１０−２に対して、Resource Status Responseメッセージを送信する。
【００５９】
その後、負荷レベル比較部１２１は、自局である無線基地局ｅＮＢ１０−１の負荷のレベルを測定する。
【００６０】
送信制御部１２２は、測定された無線基地局ｅＮＢ１０−１の負荷レベルを示す第１負荷情報を含んだResource Status UpdateメッセージをＸ２インタフェース通信部１４０へ出力する。更に、送信制御部１２２は、第１負荷情報を含んだResource Status Updateメッセージを無線基地局ｅＮＢ１０−２へ送信するように、Ｘ２インタフェース通信部１４０を制御する。この際、送信制御部１２２は、第１負荷情報の送信開始を要求するためのResource Status Requestメッセージに含まれる送信周期で、第１負荷情報の送信開始を要求するためのResource Status Requestメッセージに含まれるReport Characteristicsに対応する種類を有する第１負荷情報を、Resource Status Updateメッセージに含ませた上で、Ｘ２インタフェース通信部１４０へ出力する。
【００６１】
Ｘ２インタフェース通信部１４０は、送信制御部１２２の制御に応じて、Ｘ２インタフェースを介して無線基地局ｅＮＢ１０−２に対して、第１負荷情報を含んだResource Status Updateメッセージを送信する。
【００６２】
その後は、第１の処理と同様、Ｘ２インタフェース通信部１４０は、無線基地局ｅＮＢ１０−１からＸ２インタフェースを介して、ハンドオーバパラメータとしてのオフセット値を含んだMobility Change Requestメッセージを受信し、カバレッジ調整制御部１２３へ出力する。
【００６３】
送信制御部１２２は、Mobility Change Requestメッセージに対する応答であるMobility Change AcknowledgeメッセージをＸ２インタフェース通信部２４０へ出力し、当該Mobility Change Acknowledgeメッセージを無線基地局ｅＮＢ１０−２へ送信するように、Ｘ２インタフェース通信部１４０を制御する。
【００６４】
Ｘ２インタフェース通信部１４０は、送信制御部１２２の制御に応じて、Ｘ２インタフェースを介して無線基地局ｅＮＢ１０−２に対して、Mobility Change Acknowledgeメッセージを送信する。
【００６５】
カバレッジ調整制御部１２３は、Mobility Change Requestメッセージに含まれるハンドオーバパラメータとしてのオフセット値を設定する。設定されたオフセット値は、記憶部１３０に記憶される。これにより、ハンドオーバパラメータとしてのオフセット値が無線基地局ｅＮＢ１０−１と無線基地局ｅＮＢ１０−２との間で共有され、ハンドオーバ制御においては、オフセット値が加えられたＲＳＲＰ１と、ＲＳＲＰ２とが比較される。このため、無線基地局ｅＮＢ１０−１のカバレッジが擬似的に拡大されるようになる。
【００６６】
（４）第２の無線基地局の構成
次に、無線基地局ｅＮＢ１０−２の構成を説明する。図４は、本実施形態に係る無線基地局ｅＮＢ１０−２の構成を示すブロック図である。
【００６７】
図４に示すように、無線基地局ｅＮＢ１０−２は、アンテナ部２０１、無線通信部２１０、制御部２２０、記憶部２３０、及びＸ２インタフェース通信部２４０を有する。
【００６８】
アンテナ部１０１は、無線信号の送受信に用いられる。無線通信部２１０は、例えば無線周波数（ＲＦ）回路やベースバンド（ＢＢ）回路等を用いて構成され、アンテナ部２０１を介して無線端末ＵＥと無線信号の送受信を行う。また、無線通信部２１０は、送信信号の変調と受信信号の復調とを行う。
【００６９】
制御部２２０は、例えばＣＰＵを用いて構成され、無線基地局ｅＮＢ１０−２が備える各種の機能を制御する。記憶部２３０は、例えばメモリを用いて構成され、無線基地局ｅＮＢ１０−２の制御等に用いられる各種の情報を記憶する。Ｘ２インタフェース通信部２４０は、Ｘ２インタフェースを使用して他の無線基地局との基地局間通信を行う。
【００７０】
制御部２２０は、負荷レベル比較部２２１、送信制御部２２２、及びカバレッジ調整制御部２２３を有する。
【００７１】
無線基地局ｅＮＢ１０−２においては、以下の第３の処理及び第４の処理が選択的に行われる。第３の処理は、無線基地局ｅＮＢ１０−１が上述した第１の処理を行う場合に、無線基地局ｅＮＢ１０−２において行われる処理であり、第３の処理は、無線基地局ｅＮＢ１０−１が上述した第２の処理を行う場合に、無線基地局ｅＮＢ１０−２において行われる処理である。
【００７２】
（第３の処理）
Ｘ２インタフェース通信部２４０は、Ｘ２インタフェースを介して、無線基地局ｅＮＢ１０−１からの第１負荷情報を含んだResource Status Updateメッセージを、周期的に受信し、負荷レベル比較部２２１へ出力する。
【００７３】
負荷レベル比較部２２１は、Resource Status Responseメッセージが入力された後、自局である無線基地局ｅＮＢ１０−２の負荷のレベルを測定する。ここで、無線基地局ｅＮＢ１０−２の負荷レベルを示す負荷情報（以下、第２負荷情報）は、第１負荷情報と同様、（ａ）時間周波数リソースの割り当て単位であるＰＲＢ（Physical Resource Block）の使用数、（ｂ）無線基地局ｅＮＢ１０−１とコアネットワークとの間のＸ２インタフェースの負荷、（ｃ）無線基地局ｅＮＢ１０−１のハードウェア負荷、（ｄ）無線基地局ｅＮＢ１０−１の相対的な通信容量を示す指標である容量クラスとその中で利用可能な通信容量の割合である。
【００７４】
負荷レベル比較部２２１は、第１負荷情報を含んだResource Status Updateメッセージが入力される毎に、無線基地局ｅＮＢ１０−１の負荷レベルが無線基地局ｅＮＢ１０−２の負荷レベル未満であるか否かを判定する。
【００７５】
無線基地局ｅＮＢ１０−１の負荷レベルが無線基地局ｅＮＢ１０−２の負荷レベル未満である場合、カバレッジ調整制御部２２３は、ＲＳＲＰ１に加えられる、ハンドオーバパラメータとしてのオフセット値を決定する。ここで、オフセット値は、プラスの値である。
【００７６】
送信制御部２２２は、オフセット値を含んだMobility Change RequestメッセージをＸ２インタフェース通信部２４０へ出力する。更に、送信制御部２２２は、オフセット値を含んだMobility Change Requestメッセージを無線基地局ｅＮＢ１０−１へ送信するように、Ｘ２インタフェース通信部２４０を制御する。
【００７７】
Ｘ２インタフェース通信部２４０は、送信制御部２２２の制御に応じて、Ｘ２インタフェースを介して無線基地局ｅＮＢ１０−１に対して、オフセット値を含んだMobility Change Requestメッセージを送信する。
【００７８】
その後、Ｘ２インタフェース通信部２４０は、Ｘ２インタフェースを介して、無線基地局ｅＮＢ１０−１からのMobility Change Acknowledgeメッセージを受信し、カバレッジ調整制御部２２３へ出力する。カバレッジ調整制御部２２３は、Mobility Change Acknowledgeメッセージが入力されると、ハンドオーバパラメータとしてのオフセット値を設定する。設定されたオフセット値は、記憶部２３０に記憶される。
【００７９】
（第４の処理）
負荷レベル比較部２２１は、自局である無線基地局ｅＮＢ１０−２の負荷のレベルを測定する。負荷レベル比較部２２１は、測定した無線基地局ｅＮＢ１０−２の負荷レベルが第３閾値以上であるか否かを判定する。ここで、第３閾値は、無線基地局ｅＮＢ１０−２が安定して動作可能である場合の負荷レベルと定められた値のうちの最大値又は当該最大値よりも小さな値である。具体的には、負荷レベル比較部２２１は、無線基地局ｅＮＢ１０−２の全ての種類の負荷レベルが、それぞれの負荷レベルに対応する第３閾値以上であるか否か、あるいは、無線基地局ｅＮＢ１０−２の何れかの種類の負荷レベルが、対応する第３閾値以上であるか否かを判定する。
【００８０】
無線基地局ｅＮＢ１０−２の負荷レベルが第３閾値以上である場合には、当該無線基地局ｅＮＢ１０−２の負荷軽減のために、無線基地局ｅＮＢ１０−１のカバレッジは、擬似的に拡大されることが好ましい。一方、無線基地局ｅＮＢ１０−２の負荷レベルが第３閾値未満である場合には、当該無線基地局ｅＮＢ１０−２の負荷を軽減させる必要はないため、無線基地局ｅＮＢ１０−１のカバレッジは、擬似的に拡大されなくてもよい。
【００８１】
無線基地局ｅＮＢ１０−２の負荷レベルが第３閾値以上である場合、送信制御部２２２は、無線基地局ｅＮＢ１０−１の負荷レベルを示す負荷情報（第１負荷情報）の送信開始を要求するためのResource Status RequestメッセージをＸ２インタフェース通信部２４０へ出力する。更に、送信制御部２２２は、第１負荷情報の送信開始を要求するためのResource Status Requestメッセージを無線基地局ｅＮＢ１０−１へ送信するように、Ｘ２インタフェース通信部２４０を制御する。
【００８２】
Ｘ２インタフェース通信部２４０は、送信制御部２２２の制御に応じて、Ｘ２インタフェースを介して無線基地局ｅＮＢ１０−１に対して、第１負荷情報の送信開始を要求するためのResource Status Requestメッセージを送信する。
【００８３】
その後、Ｘ２インタフェース通信部２４０は、Ｘ２インタフェースを介して、無線基地局ｅＮＢ１０−１からのResource Status Responseメッセージを受信し、負荷レベル比較部２２１へ出力する。更に、Ｘ２インタフェース通信部２４０は、Ｘ２インタフェースを介して、無線基地局ｅＮＢ１０−１からの第１負荷情報を含んだResource Status Updateメッセージを、周期的に受信し、負荷レベル比較部２２１へ出力する。
【００８４】
負荷レベル比較部２２１は、Resource Status Responseメッセージが入力された後、自局である無線基地局ｅＮＢ１０−２の負荷のレベルを測定する。更に、負荷レベル比較部２２１は、第１負荷情報を含んだResource Status Updateメッセージが入力される毎に、無線基地局ｅＮＢ１０−１の負荷レベルが無線基地局ｅＮＢ１０−２の負荷レベル未満であるか否かを判定する。
【００８５】
無線基地局ｅＮＢ１０−１の負荷レベルが無線基地局ｅＮＢ１０−２の負荷レベル未満である場合、カバレッジ調整制御部２２３は、ＲＳＲＰ１に加えられる、ハンドオーバパラメータとしてのオフセット値を決定する。ここで、オフセット値は、プラスの値である。
【００８６】
送信制御部２２２は、オフセット値を含んだMobility Change RequestメッセージをＸ２インタフェース通信部２４０へ出力する。更に、送信制御部２２２は、オフセット値を含んだMobility Change Requestメッセージを無線基地局ｅＮＢ１０−１へ送信するように、Ｘ２インタフェース通信部２４０を制御する。
【００８７】
Ｘ２インタフェース通信部２４０は、送信制御部２２２の制御に応じて、Ｘ２インタフェースを介して無線基地局ｅＮＢ１０−１に対して、オフセット値を含んだMobility Change Requestメッセージを送信する。
【００８８】
その後、Ｘ２インタフェース通信部２４０は、Ｘ２インタフェースを介して、無線基地局ｅＮＢ１０−１からのMobility Change Acknowledgeメッセージを受信し、カバレッジ調整制御部２２３へ出力する。カバレッジ調整制御部２２３は、Mobility Change Acknowledgeメッセージが入力されると、ハンドオーバパラメータとしてのオフセット値を設定する。設定されたオフセット値は、記憶部２３０に記憶される。
【００８９】
（５）無線通信システムの動作
図５は、本実施形態に係る無線通信システム１の第１の動作を示す動作シーケンス図である。
【００９０】
ステップＳ１０１において、無線基地局ｅＮＢ１０−１の負荷レベル比較部１２１は、無線基地局ｅＮＢ１０−１の負荷のレベルを測定する。ステップＳ１０２において、無線基地局ｅＮＢ１０−１の負荷レベル比較部１２１は、無線基地局ｅＮＢ１０−１の負荷レベルが第１閾値未満であるか否かを判定する。
【００９１】
無線基地局ｅＮＢ１０−１の負荷レベルが第１閾値以上である場合、ステップＳ１０３において、無線基地局ｅＮＢ１０−１の送信制御部１２２は、Ｘ２インタフェース通信部１４０を制御し、当該Ｘ２インタフェース通信部１４０は、送信制御部１２２の制御に応じて、Resource Status Updateメッセージの送信を省略（送信停止）する。
【００９２】
一方、無線基地局ｅＮＢ１０−１の負荷レベルが第１閾値未満である場合、ステップＳ１０４において、無線基地局ｅＮＢ１０−１の送信制御部１２２は、Ｘ２インタフェース通信部１４０を制御し、当該Ｘ２インタフェース通信部１４０は、無線基地局ｅＮＢ１０−２に対して、第１負荷情報を含んだResource Status Updateメッセージを送信する。無線基地局ｅＮＢ１０−２のＸ２インタフェース通信部２４０は、第１負荷情報を含んだResource Status Updateメッセージを受信する。
【００９３】
ステップＳ１０５において、無線基地局ｅＮＢ１０−２の負荷レベル比較部２２１は、無線基地局ｅＮＢ１０−２の負荷のレベルを測定する。ステップＳ１０６において、無線基地局ｅＮＢ１０−２の負荷レベル比較部２２１は、無線基地局ｅＮＢ１０−１の負荷レベルが無線基地局ｅＮＢ１０−２の負荷レベル未満であるか否かを判定する。
【００９４】
無線基地局ｅＮＢ１０−１の負荷レベルが無線基地局ｅＮＢ１０−２の負荷レベル以上である場合、ステップＳ１０４における、第１負荷情報を含んだResource Status Updateメッセージの受信以降の動作が繰り返される。
【００９５】
一方、無線基地局ｅＮＢ１０−１の負荷レベルが無線基地局ｅＮＢ１０−２の負荷レベル未満である場合、ステップＳ１０７において、無線基地局ｅＮＢ１０−２のカバレッジ調整制御部２２３は、ＲＳＲＰ１に加えられる、ハンドオーバパラメータとしてのオフセット値を決定する。
【００９６】
ステップＳ１０８において、無線基地局ｅＮＢ１０−２の送信制御部２２２は、Ｘ２インタフェース通信部２４０を制御し、当該Ｘ２インタフェース通信部２４０は、無線基地局ｅＮＢ１０−１に対して、オフセット値を含んだMobility Change Requestメッセージを送信する。無線基地局ｅＮＢ１０−１のＸ２インタフェース通信部１４０は、オフセット値を含んだMobility Change Requestメッセージを受信する。
【００９７】
ステップＳ１０９において、無線基地局ｅＮＢ１０−１の送信制御部１２２は、Ｘ２インタフェース通信部１４０を制御し、当該Ｘ２インタフェース通信部１４０は、無線基地局ｅＮＢ１０−２に対して、Mobility Change Acknowledgeメッセージを送信する。無線基地局ｅＮＢ１０−２のＸ２インタフェース通信部２４０は、Mobility Change Acknowledgeメッセージを受信する。
【００９８】
ステップＳ１１０において、無線基地局ｅＮＢ１０−１のカバレッジ調整制御部１２３は、Mobility Change Requestメッセージに含まれる、ハンドオーバパラメータとしてのオフセット値を設定する。ステップＳ１１１において、無線基地局ｅＮＢ１０−２のカバレッジ調整制御部２２３は、ステップＳ１０７において決定された、ハンドオーバパラメータとしてのオフセット値を設定する。
【００９９】
図６は、本実施形態に係る無線基地局ｅＮＢ１０−１の動作を示すフローチャートである。図６に示す動作は、図５に示す第１の動作におけるステップＳ１０４の動作の後に、第１の動作と並行して行われる。
【０１００】
ステップＳ１５１において、無線基地局ｅＮＢ１０−１の負荷レベル比較部１２１は、無線基地局ｅＮＢ１０−１の負荷のレベルを測定する。
【０１０１】
ステップＳ１５２において、無線基地局ｅＮＢ１０−１の負荷レベル比較部１２１は、無線基地局ｅＮＢ１０−１の負荷レベルが第２閾値以上であるか否かを判定する。無線基地局ｅＮＢ１０−１の負荷レベルが第２閾値未満である場合には、ステップＳ１５１以降の動作が繰り返される。
【０１０２】
一方、無線基地局ｅＮＢ１０−１の負荷レベルが第２閾値以上である場合には、無線基地局ｅＮＢ１０−１の送信制御部１２２は、Ｘ２インタフェース通信部１４０を制御し、当該Ｘ２インタフェース通信部１４０は、第１負荷情報を含んだResource Status Updateメッセージの送信を停止する。
【０１０３】
図７は、本実施形態に係る無線通信システム１の第２の動作を示す動作シーケンス図である。
【０１０４】
ステップＳ２０１において、無線基地局ｅＮＢ１０−１の負荷レベル比較部１２１は、無線基地局ｅＮＢ１０−１の負荷のレベルを測定する。
【０１０５】
ステップＳ２０２において、無線基地局ｅＮＢ１０−２の負荷レベル比較部２２１は、無線基地局ｅＮＢ１０−２の負荷のレベルを測定する。ステップＳ２０３において、無線基地局ｅＮＢ１０−２の負荷レベル比較部２２１は、無線基地局ｅＮＢ１０−２の負荷レベルが第３閾値以上であるか否かを判定する。
【０１０６】
無線基地局ｅＮＢ１０−２の負荷レベルが第３閾値未満である場合には、ステップＳ２０２以降の動作が繰り返される。
【０１０７】
一方、無線基地局ｅＮＢ１０−２の負荷レベルが第３閾値以上である場合、ステップＳ２０４において、無線基地局ｅＮＢ１０−２の送信制御部２２２は、Ｘ２インタフェース通信部２４０を制御し、当該Ｘ２インタフェース通信部２４０は、無線基地局ｅＮＢ１０−１に対して、第１負荷情報の送信開始を要求するためのResource Status Requestメッセージを送信する。無線基地局ｅＮＢ１０−１のＸ２インタフェース通信部１４０は、第１負荷情報の送信開始を要求するためのResource Status Requestメッセージを受信する。
【０１０８】
ステップＳ２０５において、無線基地局ｅＮＢ１０−１の負荷レベル比較部１２１は、無線基地局ｅＮＢ１０−１の負荷レベルが第４閾値未満であるか否かを判定する。
【０１０９】
無線基地局ｅＮＢ１０−１の負荷レベルが第４閾値以上である場合、ステップＳ２０６において、無線基地局ｅＮＢ１０−１の送信制御部１２２は、Ｘ２インタフェース通信部１４０を制御し、当該Ｘ２インタフェース通信部１４０は、送信制御部１２２の制御に応じて、Resource Status Responseメッセージの送信を省略（送信停止）する。
【０１１０】
一方、  無線基地局ｅＮＢ１０−１の負荷レベルが第４閾値未満である場合、ステップＳ２０７において、無線基地局ｅＮＢ１０−２の送信制御部２２２は、Ｘ２インタフェース通信部２４０を制御し、当該Ｘ２インタフェース通信部２４０は、無線基地局ｅＮＢ１０−１に対して、Resource Status Responseメッセージを送信する。無線基地局ｅＮＢ１０−１のＸ２インタフェース通信部１４０は、Resource Status Responseメッセージを受信する。
【０１１１】
ステップＳ２０８において、無線基地局ｅＮＢ１０−１の負荷レベル比較部１２１は、無線基地局ｅＮＢ１０−１の負荷のレベルを測定する。一方、ステップＳ２０９において、無線基地局ｅＮＢ１０−２の負荷レベル比較部２２１は、無線基地局ｅＮＢ１０−２の負荷のレベルを測定する。
【０１１２】
ステップＳ２１０において、無線基地局ｅＮＢ１０−２の負荷レベル比較部２２１は、無線基地局ｅＮＢ１０−２の負荷のレベルが第３閾値未満であるか否かを判定する。無線基地局ｅＮＢ１０−２の負荷のレベルが第３閾値未満である場合には、ステップＳ２１１において、無線基地局ｅＮＢ１０−２の送信制御部２２２は、Ｘ２インタフェース通信部２４０を制御し、当該Ｘ２インタフェース通信部２４０は、無線基地局ｅＮＢ１０−１に対して、第１負荷情報の送信停止を要求するためのResource Status Requestメッセージを送信する。無線基地局ｅＮＢ１０−１のＸ２インタフェース通信部１４０は、Resource Status Requestメッセージを受信する。無線基地局ｅＮＢ１０−１は、受信したResource Status Requestメッセージに応じて、第１負荷情報の送信を停止する。
【０１１３】
一方、無線基地局ｅＮＢ１０−２の負荷のレベルが第３閾値以上である場合、その後、ステップＳ２１２において、無線基地局ｅＮＢ１０−１の送信制御部１２２は、Ｘ２インタフェース通信部１４０を制御し、当該Ｘ２インタフェース通信部１４０は、無線基地局ｅＮＢ１０−２に対して、第１負荷情報を含んだResource Status Updateメッセージを送信する。無線基地局ｅＮＢ１０−２のＸ２インタフェース通信部２４０は、第１負荷情報を含んだResource Status Updateメッセージを受信する。
【０１１４】
ステップＳ２１３において、無線基地局ｅＮＢ１０−２の負荷レベル比較部２２１は、第１負荷情報によって示される無線基地局ｅＮＢ１０−１の負荷レベルが、無線基地局ｅＮＢ１０−２の負荷レベル未満であるか否かを判定する。無線基地局ｅＮＢ１０−１の負荷レベルが、無線基地局ｅＮＢ１０−２の負荷レベル以上である場合には、ステップＳ２０９以降の動作が繰り返される。
【０１１５】
一方、無線基地局ｅＮＢ１０−１の負荷レベルが、無線基地局ｅＮＢ１０−２の負荷レベル未満である場合には、ステップＳ２１４において、無線基地局ｅＮＢ１０−２のカバレッジ調整制御部２２３は、ＲＳＲＰ１に加えられる、ハンドオーバパラメータとしてのオフセット値を決定する。
【０１１６】
ステップＳ２１５において、無線基地局ｅＮＢ１０−２の送信制御部２２２は、Ｘ２インタフェース通信部２４０を制御し、当該Ｘ２インタフェース通信部２４０は、無線基地局ｅＮＢ１０−１に対して、オフセット値を含んだMobility Change Requestメッセージを送信する。無線基地局ｅＮＢ１０−１のＸ２インタフェース通信部１４０は、オフセット値を含んだMobility Change Requestメッセージを受信する。
【０１１７】
ステップＳ２１６において、無線基地局ｅＮＢ１０−１の送信制御部１２２は、Ｘ２インタフェース通信部１４０を制御し、当該Ｘ２インタフェース通信部１４０は、無線基地局ｅＮＢ１０−２に対して、Mobility Change Acknowledgeメッセージを送信する。無線基地局ｅＮＢ１０−２のＸ２インタフェース通信部２４０は、Mobility Change Acknowledgeメッセージを受信する。
【０１１８】
ステップＳ２１７において、無線基地局ｅＮＢ１０−１のカバレッジ調整制御部１２３は、ハンドオーバパラメータとしてのオフセット値を設定する。ステップＳ２１８において、無線基地局ｅＮＢ１０−２のカバレッジ調整制御部２２３は、Mobility Change Requestメッセージに含まれる、ハンドオーバパラメータとしてのオフセット値を設定する。
【０１１９】
（６）作用・効果
以上説明したように、本実施形態によれば、無線基地局ｅＮＢ１０−１は、自局の負荷レベルが第１閾値未満である場合に、第１負荷情報を含んだResource Status Updateメッセージを無線基地局ｅＮＢ１０−２へ送信し、自局の負荷レベルが第１閾値以上である場合には、第１負荷情報を含んだResource Status Updateメッセージの送信を省略する。無線基地局ｅＮＢ１０−２は、カバレッジを縮小する際に無線基地局ｅＮＢ１０−１の第１負荷情報を必要とする。しかし、無線基地局ｅＮＢ１０−１の負荷レベルが高く、当該無線基地局ｅＮＢ１０−１のカバレッジの拡大が困難である場合には、無線基地局ｅＮＢ１０−１が無線基地局ｅＮＢ１０−２へ第１負荷情報を送信することは、無線基地局ｅＮＢ１０−１がカバレッジの拡大が困難であることを鑑みれば、不要な送信である。従って、この場合には、第１負荷情報の送信が省略されることで、無線基地局ｅＮＢ１０−１と無線基地局ｅＮＢ１０−２との間のＸ２インタフェースの負荷を軽減できる。
【０１２０】
また、本実施形態によれば、無線基地局ｅＮＢ１０−１は、第１負荷情報を含んだResource Status Updateメッセージの送信後、自局の負荷レベルが第２閾値以上になった場合に、第１負荷情報を含んだResource Status Updateメッセージの送信を停止する。上述したように、無線基地局ｅＮＢ１０−１の負荷レベルが高く、当該無線基地局ｅＮＢ１０−１のカバレッジの拡大が困難である場合には、無線基地局ｅＮＢ１０−１が無線基地局ｅＮＢ１０−２へ第１負荷情報を送信することは、無線基地局ｅＮＢ１０−１がカバレッジの拡大が困難であることを鑑みれば、不要な送信である。従って、無線基地局ｅＮＢ１０−１の負荷レベルが第２閾値以上になった場合には、第１負荷情報を含んだResource Status Updateメッセージの送信が停止されることで、無線基地局ｅＮＢ１０−１と無線基地局ｅＮＢ１０−２との間のＸ２インタフェースの負荷を軽減できる。
【０１２１】
また、本実施形態によれば、無線基地局ｅＮＢ１０−１は、無線基地局ｅＮＢ１０−２によって第１負荷情報が要求されると、無線基地局ｅＮＢ１０−１の負荷レベルが第４閾値未満である場合に、応答であるResource Status Responseメッセージを無線基地局ｅＮＢ１０−２へ送信し、無線基地局ｅＮＢ１０−１の負荷レベルが第４閾値以上である場合に、Resource Status Responseメッセージの送信を省略する。無線基地局ｅＮＢ１０−２は、カバレッジを縮小する際に無線基地局ｅＮＢ１０−１の第１負荷情報を必要とする。しかし、無線基地局ｅＮＢ１０−１の負荷レベルが高く、当該無線基地局ｅＮＢ１０−１のカバレッジの拡大が困難である場合には、無線基地局ｅＮＢ１０−１が無線基地局ｅＮＢ１０−２へResource Status Responseメッセージを送信することは、無線基地局ｅＮＢ１０−１がカバレッジの拡大が困難であることを鑑みれば、不要な送信である。従って、この場合には、Resource Status Responseメッセージの送信が省略されることで、無線基地局ｅＮＢ１０−１と無線基地局ｅＮＢ１０−２との間のＸ２インタフェースの負荷を軽減できる。
【０１２２】
（７）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１２３】
上述した実施形態では、無線基地局ｅＮＢ１０−２が、ＲＳＲＰ１に加えるオフセット値を設定したが、ＲＳＲＰ２から差し引くオフセット値を設定してもよい。また、無線基地局ｅＮＢ１０−２は、ＲＳＲＰ１に加えるオフセット値を設定するとともに、ＲＳＲＰ２から差し引くオフセット値を設定してもよい。
【０１２４】
上述した実施形態においては、無線基地局ｅＮＢ１０−１は、１つのみであったが、複数であってもよい。この場合、無線基地局ｅＮＢ１０−２の送信制御部２２２は、複数の無線基地局ｅＮＢ１０−１のうち、所定の無線基地局ｅＮＢ１０−１に対してのみ、第１負荷情報の送信開始を要求するためのResource Status Requestメッセージを送信する制御を行ってもよい。例えば、送信制御部２２２は、無線基地局ｅＮＢ１０−２と各無線基地局ｅＮＢ１０−１との間の伝搬損失（パスロス）を取得し、所定値未満のパスロスに対応する無線基地局ｅＮＢ１０−１に対しては、Resource Status Requestメッセージの送信を省略する制御を行う。この場合には、無線基地局ｅＮＢ１０−２から遠い位置にあり、無線基地局ｅＮＢ１０−２の負荷を軽減させる可能性の低い無線基地局ｅＮＢ１０−１に対しては、不要なResource Status Requestメッセージの送信が防止され、Ｘ２インタフェースの負荷が軽減される。
【０１２５】
また、無線基地局ｅＮＢ１０−２の負荷レベル比較部２２１は、複数の無線基地局ｅＮＢ１０−１のそれぞれからの第１負荷情報を受信した場合、当該第１負荷情報で示される負荷レベルの平均値を算出し、無線基地局ｅＮＢ１０−２の負荷が当該平均値未満であるか否かを判定するようにしてもよい。
【０１２６】
上述した実施形態では、負荷情報は、Resource Status Updateメッセージに含まれているが、負荷情報の要求に対する応答であるResource Status Responseメッセージに含まれていてもよい。
【０１２７】
上述した実施形態においては、無線通信システム１は、無線基地局ｅＮＢ１０−１及び無線基地局ｅＮＢ１０−２により構成されるが、マクロセル基地局ＭｅＮＢとピコセル基地局ＰｅＮＢとにより構成される無線通信システムについても同様に本発明を適用できる。
【０１２８】
図８は、その他の実施形態に係る無線通信システム２の概略構成図である。図７に示すように、無線通信システム２は、無線基地局の配置がヘテロジーニアスネットワー配置となっている。無線通信システム２は、マクロセル基地局ＭｅＮＢ１１と、マクロセル基地局ＭｅＮＢ１１に接続する無線端末ＭＵＥ３１と、マクロセル基地局ＭｅＮＢ１１が形成するマクロセルＭＣ２１に配置され、マクロセル基地局ＭｅＮＢ１１に隣接するピコセル基地局ＰｅＮＢ４０と、ピコセル基地局ＰｅＮＢ４０が形成するピコセルＰＣ５０内でピコセル基地局ＰｅＮＢ４０に接続する無線端末ＰＵＥ６０とを有する。マクロセル基地局ＭｅＮＢ１１及びピコセル基地局ＰｅＮＢ４０は、Ｘ２インタフェースを使用して基地局間通信を行うことができる。
【０１２９】
図７に示す無線通信システム２において、マクロセル基地局ＭｅＮＢ１１は、図１における無線基地局ｅＮＢ１０−１と同様の処理を行い、ピコセル基地局ＰｅＮＢ４０は、図１における無線基地局ｅＮＢ１０−２と同様の処理を行う。あるいは、ピコセル基地局ＰｅＮＢ４０は、図１における無線基地局ｅＮＢ１０−１と同様の処理を行い、マクロセル基地局ＭｅＮＢ１１は、図１における無線基地局ｅＮＢ１０−２と同様の処理を行う。
【０１３０】
なお、ＬＴＥ  Ａｄｖａｎｃｅｄにおいては、バックホールを無線により構成する無線基地局であるリレーノードの採用が予定され、且つリレーノードにもＸ２インタフェースが採用される予定であるため、当該リレーノードを本発明に係る第２の無線基地局としてもよい。
【０１３１】
上述した実施形態では、バックホールがＸ２インタフェースである場合について説明したが、バックホールがＳ１インタフェースである場合や、バックホールがＸ２インタフェース及びＳ１インタフェースである場合も、同様に本発明を適用できる。バックホールがＳ１インタフェースである場合には、各無線基地局ｅＮＢは、それぞれＳ１インタフェース通信部を有する。
【０１３２】
さらに、上述した実施形態では、ＬＴＥシステムについて説明したが、ＷｉＭＡＸ（ＩＥＥＥ ８０２．１６）に基づく無線通信システム等、他の無線通信システムに対して本発明を適用してもよい。
【０１３３】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１３４】
ＵＥ３０−１、ＵＥ３０−２…無線端末、ｅＮＢ１０−１、ｅＮＢ１０−２…無線基地局、１…無線通信システム、１０１…アンテナ部、１１０…無線通信部、１２０…制御部、１２１…負荷レベル比較部、１２２…送信制御部、１２３…カバレッジ調整制御部、１３０…記憶部、１４０…Ｘ２インタフェース通信部、２０１…アンテナ部、２１０…無線通信部、２２０…制御部、２２１…負荷レベル比較部、２２２…送信制御部、２２３…カバレッジ調整制御部、２３０…記憶部、２４０…Ｘ２インタフェース通信部
【図１】
0005592702.tif 000002
【図２】
0005592702.tif 000003
【図３】
0005592702.tif 000004
【図４】
0005592702.tif 000005
【図５】
0005592702.tif 000006
【図６】
0005592702.tif 000007
【図７】
0005592702.tif 000008
【図８】
0005592702.tif 000009